(57)【要約】【課題】  特定の端末装置間の無線通信を確立するためのグループ情報に対し、新たな端末装置の参加を容易とし、新規に参加したユーザが迅速に無線通信を行うことが可能となる無線通信システムを提供する。【解決手段】  ＣＵＧサーバ（２００）は、ＰＯＣ端末間における無線通信を確立するためのグループ申請要求を受信した際に、グループテーブルを生成し、該生成したグループテーブルにグループ識別情報を付与したグループ情報を作成し、ＣＵＧサーバ（２００）に格納する。次に、ＣＵＧサーバ（２００）は、グループ識別情報をホストＰＯＣ端末に送信する。ＣＵＧサーバ（２００）は、グループテーブルへの登録要求と、グループ識別情報と、をＰＯＣ端末から受信した際に、ＰＯＣ端末から受信したグループ識別情報が付与されたグループテーブルを検索取得し、そのグループテーブルに、登録要求先のＰＯＣ端末の端末識別情報を自動的に登録する。【選択図】  図５
2005217584.tif 000002
【特許請求の範囲】
【請求項１】
プレストークスイッチを用いて無線通信を行う複数の移動局間における無線通信を確立する制御局であって、
任意の移動局間における無線通信を確立するためのグループ申請要求を任意の通信装置から受信した際に、任意の移動局間における無線通信を確立するためのグループテーブルを生成し、該生成したグループテーブルに、該グループテーブルを識別するグループ識別情報を付与したグループ情報を作成し、該作成したグループ情報を格納するグループ情報格納手段と、
前記グループテーブルに付与したグループ識別情報を前記グループ申請要求先の通信装置に送信するグループ識別情報送信手段と、
前記移動局側から前記グループテーブルへの登録要求と前記グループ識別情報とを受信した際に、該受信したグループ識別情報が付与されたグループテーブルに前記登録要求先の移動局の情報を登録する登録手段と、
前記グループテーブル内に登録された移動局間における無線通信を確立する無線通信確立手段と、
を有することを特徴とする制御局。
【請求項２】
前記登録手段は、前記格納したグループ情報の中から、前記受信したグループ識別情報と一致するグループ識別情報を付与したグループテーブルを検索取得し、前記受信したグループ識別情報が付与されたグループテーブルに前記登録要求先の移動局の情報を登録することを特徴とする請求項１記載の制御局。
【請求項３】
前記グループテーブルへの登録要求を許可する許可情報を前記グループ申請要求先の通信装置に送信する手段を更に有し、
前記登録手段は、前記許可情報を受信した際に、前記グループテーブルに前記登録要求先の移動局の情報を登録することを特徴とする請求項１または２記載の制御局。
【請求項４】
前記許可情報は、前記グループテーブルを生成した際に作成し、該作成した許可情報を前記生成したグループテーブルに付与して前記グループ情報を作成し、
前記登録手段は、前記受信した許可情報が、前記グループテーブルに付与した許可情報と一致する場合にのみ、前記グループテーブルに前記登録要求先の移動局の情報を登録することを特徴とする請求項３記載の制御局。
【請求項５】
前記グループ申請要求を任意の通信装置から受信した際に生成したグループテーブルに、前記グループテーブルを管理する移動局の情報を登録する手段を有することを特徴とする請求項１記載の制御局。
【請求項６】
前記任意の通信装置は、移動局であり、
前記移動局から受信した際に生成したグループテーブルに、前記グループテーブルを管理する前記移動局の情報を登録することを特徴とする請求項１または５記載の制御局。
【請求項７】
前記任意の通信装置から前記グループテーブル内の移動局の削除要求を受信した際に、削除対象の移動局の情報を前記グループテーブル内から削除する削除手段を有することを特徴とする請求項１から６の何れか１項に記載の制御局。
【請求項８】
前記任意の通信装置は、前記グループテーブルを管理する移動局であり、
前記削除手段は、前記グループテーブルを管理する移動局から、前記移動局の情報が登録されたグループテーブル内の移動局の削除要求を受信した場合にのみ、前記移動局の情報が登録されたグループテーブルを検索取得し、その検索取得したグループテーブルの中から削除対象の移動局の情報を削除することを特徴とする請求項７記載の制御局。
【請求項９】
前記無線通信確立手段は、前記グループテーブル内に登録された移動局間における無線通信の確立要求を前記移動局側から受信した際に、前記確立要求を受信した移動局の情報が含まれるグループテーブルを前記グループ情報の中から検索取得し、該検索取得したグループテーブル内に登録された移動局間における無線通信を確立することを特徴とする請求項１記載の制御局。
【請求項１０】
プレストークスイッチを用いて無線通信を行う複数の移動局と、任意の通信装置と、複数の移動局間における無線通信を確立する制御局と、を有する無線通信システムであって、
前記制御局は、
任意の移動局間における無線通信を確立するためのグループ申請要求を前記任意の通信装置から受信した際に、任意の移動局間における無線通信を確立するためのグループテーブルを生成し、該生成したグループテーブルに、該グループテーブルを識別するグループ識別情報を付与したグループ情報を作成し、該作成したグループ情報を格納するグループ情報格納手段と、
前記グループテーブルに付与したグループ識別情報を、前記グループ申請要求先の任意の通信装置に送信するグループ識別情報送信手段と、
前記移動局側から前記グループテーブルへの登録要求と、前記グループ識別情報と、前記移動局の情報と、を受信した際に、前記受信したグループ識別情報が付与されたグループテーブルに、前記受信した移動局の情報を登録する登録手段と、
前記グループテーブル内に登録されている移動局間における無線通信の確立要求を前記移動局側から受信した際に、前記グループテーブル内に登録された移動局間における無線通信を確立する無線通信確立手段と、
を有し、
前記任意の通信装置は、
前記任意の移動局間における無線通信を確立するためのグループ申請要求を前記制御局に送信する送信手段と、
前記制御局から前記グループ識別情報を受信する受信手段と、
を有し、
前記移動局は、
前記移動局自身の情報を前記グループテーブルへ登録するための登録要求と、前記グループテーブルを識別するためのグループ識別情報と、前記移動局の情報と、を前記制御局に送信するグループ登録要求手段と、
前記移動局自身の情報を登録した前記グループテーブル内に登録されている移動局間における無線通信を確立するための確立要求を前記制御局に送信する無線通信確立要求手段と、
を有することを特徴とする無線通信システム。
【請求項１１】
前記制御局は、前記移動局側から前記グループテーブルへの登録要求と、前記グループ識別情報と、前記移動局の情報と、を受信した際に、前記制御局に格納したグループ情報の中から、前記受信したグループ識別情報と一致するグループ識別情報が付与されたグループテーブルを検索取得し、前記受信したグループ識別情報が付与されたグループテーブルに、前記受信した移動局の情報を登録することを特徴とする請求項１０記載の無線通信システム。
【請求項１２】
前記制御局は、
前記グループテーブルへの登録要求を許可する許可情報を前記グループ申請要求先の任意の通信装置に送信する手段を有し、
前記任意の通信装置は、
前記許可情報を前記制御局から受信する手段を有し、
前記移動局は、
前記移動局自身の情報を前記グループテーブルへ登録するための登録要求と、前記グループテーブルを識別するためのグループ識別情報と、前記移動局の情報と、共に、前記許可情報を前記制御局に送信する手段を有し、
前記制御局は、前記許可情報を前記移動局から受信した際に、前記グループテーブルに前記受信した移動局の情報を登録することを特徴とする請求項１０または１１記載の無線通信システム。
【請求項１３】
前記許可情報は、前記制御局が前記グループテーブルを生成した際に前記制御局が作成し、前記制御局は、前記作成した許可情報を前記生成したグループテーブルに付与して前記グループ情報を作成し、
前記制御局は、
前記制御局が受信した許可情報が、前記グループテーブルに付与した許可情報と一致する場合にのみ、前記グループテーブルに前記受信した移動局の情報を登録することを特徴とする請求項１２記載の無線通信システム。
【請求項１４】
前記制御局は、
前記グループ申請要求を任意の通信装置から受信した際に生成したグループテーブルに、前記グループテーブルを管理する移動局の情報を登録する手段を有することを特徴とする請求項１０記載の無線通信システム。
【請求項１５】
前記任意の通信装置は、移動局であり、
前記制御局は、
前記移動局から受信した際に生成したグループテーブルに、前記グループテーブルを管理する前記移動局の情報を登録することを特徴とする請求項１０から１４の何れか１項に記載の無線通信システム。
【請求項１６】
前記任意の通信装置は、
前記グループテーブル内の移動局の削除要求を前記制御局に送信する手段を有し、
前記制御局は、
前記任意の通信装置から前記グループテーブル内の移動局の削除要求を受信した際に、削除対象の移動局の情報をグループテーブル内から削除する削除手段を有することを特徴とする請求項１０から１５の何れか１項に記載の無線通信システム。
【請求項１７】
前記任意の通信装置は、前記グループテーブルを管理する移動局であり、
前記制御局は、
前記グループテーブルを管理する移動局から、前記移動局の情報が登録されたグループテーブル内の移動局の削除要求を受信した場合にのみ、前記移動局の情報が登録されたグループテーブルを検索取得し、その検索取得したグループテーブルの中から削除対象の移動局の情報を削除することを特徴とする請求項１６記載の無線通信システム。
【請求項１８】
前記制御局は、
前記グループテーブル内に登録されている移動局間における無線通信の確立要求を前記移動局側から受信した際に、前記確立要求先の移動局側の情報が含まれるグループテーブルを前記グループ情報の中から検索取得し、該検索取得したグループテーブル内に登録された移動局間における無線通信を確立することを特徴とする請求項１０記載の無線通信システム。
【請求項１９】
プレストークスイッチを用いて無線通信を行う複数の移動局と、任意の通信装置と、複数の移動局間における無線通信を確立する制御局と、を用いて行う無線通信方法であって、
前記任意の通信装置が、前記任意の移動局間における無線通信を確立するためのグループ申請要求を前記制御局に送信する工程と、
前記制御局が、前記グループ申請要求を前記任意の通信装置から受信した際に、任意の移動局間における無線通信を確立するためのグループテーブルを生成し、該生成したグループテーブルに、該グループテーブルを識別するグループ識別情報を付与したグループ情報を作成し、該作成したグループ情報を前記制御局の具備する格納部に格納する工程と、
前記制御局が、前記作成したグループテーブルに付与したグループ識別情報を前記グループ申請要求先の任意の通信装置に送信する工程と、
前記任意の通信装置が、前記グループ識別情報を前記制御局から受信する工程と、
前記移動局が、前記移動局自身の情報を前記グループテーブルへ登録するための登録要求と、前記グループテーブルを識別するためのグループ識別情報と、前記移動局の情報と、を前記制御局に送信する工程と、
前記制御局が、前記グループテーブルへの登録要求と、前記グループ識別情報と、前記移動局の情報と、を前記移動局側から受信した際に、前記受信したグループ識別情報が付与されたグループテーブルに、前記受信した移動局の情報を登録する工程と、
前記移動局が、前記移動局自身の情報を登録した前記グループテーブル内に登録されている移動局間における無線通信を確立するための確立要求を前記制御局に送信する工程と、
前記制御局が、前記移動局間における無線通信の確立要求を前記移動局から受信した際に、前記グループテーブル内に登録された移動局間における無線通信を確立する工程と、
を行うことを特徴とする無線通信方法。
【請求項２０】
前記制御局は、
前記グループテーブルへの登録要求と、前記グループ識別情報と、前記移動局の情報と、を前記移動局側から受信した際に、前記制御局に格納したグループ情報の中から、前記制御局が前記移動局から受信したグループ識別情報と一致するグループ識別情報が付与されたグループテーブルを検索取得し、前記受信したグループ識別情報が付与されたグループテーブルに、前記受信した移動局の情報を登録することを特徴とする請求項１９記載の無線通信方法。
【請求項２１】
前記制御局が、前記グループテーブルへの登録要求を許可する許可情報を前記グループ申請要求先の任意の通信装置に送信する工程と、
前記任意の通信装置が、前記許可情報を前記制御局から受信する工程と、
前記移動局が、前記移動局自身の情報を前記グループテーブルへ登録するための登録要求と、前記グループテーブルを識別するためのグループ識別情報と、前記移動局の情報と、共に、前記許可情報を前記制御局に送信する工程と、
を行い、
前記制御局は、前記許可情報を前記移動局から受信した際に、前記グループテーブルに前記登録要求先の移動局の情報を登録することを特徴とする請求項１９または２０記載の無線通信方法。
【請求項２２】
前記許可情報は、前記制御局が前記グループテーブルを生成した際に前記制御局が作成し、前記制御局は、前記作成した許可情報を前記生成したグループテーブルに付与して前記グループ情報を作成し、
前記制御局は、
前記移動局から受信した許可情報が、前記グループテーブルに付与した許可情報と一致する場合にのみ、前記グループテーブルに前記受信した移動局の情報を登録することを特徴とする請求項２１記載の無線通信方法。
【請求項２３】
前記制御局は、
前記グループ申請要求を任意の通信装置から受信した際に生成したグループテーブルに、前記グループテーブルを管理する移動局の情報を登録する工程を行うことを特徴とする請求項１９記載の無線通信方法。
【請求項２４】
前記任意の通信装置は、移動局であり、
前記制御局は、
前記移動局から受信した際に生成したグループテーブルに、前記グループテーブルを管理する前記移動局の情報を登録することを特徴とする請求項１９から２３の何れか１項に記載の無線通信方法。
【請求項２５】
前記任意の通信装置が、
前記グループテーブル内の移動局の削除要求を前記制御局に送信する工程と、
前記制御局が、
前記任意の通信装置から前記グループテーブル内の移動局の削除要求を受信した際に、削除対象の移動局の情報をグループテーブル内から削除する工程と、
を行うことを特徴とする請求項１９から２４の何れか１項に記載の無線通信方法。
【請求項２６】
前記任意の通信装置は、前記グループテーブルを管理する移動局であり、
前記制御局は、
前記グループテーブルを管理する移動局から、前記移動局の情報が登録されたグループテーブル内の移動局の削除要求を受信した場合にのみ、前記移動局の情報が登録されたグループテーブルを検索取得し、その検索取得したグループテーブルの中から削除対象の移動局の情報を削除することを特徴とする請求項２５記載の無線通信方法。
【請求項２７】
前記制御局は、
前記グループテーブル内に登録されている移動局間における無線通信の確立要求を前記移動局側から受信した際に、前記確立要求先の移動局側の情報が含まれるグループテーブルを前記グループ情報の中から検索取得し、該検索取得したグループテーブル内に登録された移動局間における無線通信を確立することを特徴とする請求項１９記載の無線通信方法。
【発明の詳細な説明】
【技術分野】
【０００１】
本発明は、プレストークスイッチを用いて特定の通信端末装置間による無線通信を確立するための制御局、無線通信システム及び無線通信方法に関し、特に、特定の人数から構成されるグループ内だけで通信処理を行う、いわゆる閉域ユーザグループ（ＣＵＧ（Ｃｌｏｓｅｄ  Ｕｓｅｒ  Ｇｒｏｕｐ））での無線通信を確立する制御局、無線通信システム及び無線通信方法に関するものである。なお、プレストークスイッチとは、通信端末装置の具備する所定の操作ボタンを押下することで通信相手側との無線通信を確立する通信方法である。
【背景技術】
【０００２】
近年、無線通信を用いたサービスが数多く行われており、この無線通信を用いたサービスの１つとしてＰＴＴ（Ｐｕｓｈ  Ｔｏ  Ｔａｌｋ）（登録商標）を用いたワイヤレス通信システムが構築されている。
【０００３】
例えば、モトローラ（Ｍｏｔｏｒｏｌａ）（登録商標）社が開発した統合デジタル広域網を用いたｉＤＥＮ（登録商標）システムが挙げられる。このｉＤＥＮシステムは、予めグループ化した特定の通信端末装置間でＰＴＴ（Ｐｕｓｈ  Ｔｏ  Ｔａｌｋ）（登録商標）を用いて半二重による情報通信を行うための広域ベーストランシーバ装置（ＥＢＴＳ）を有して構成されており、音声情報を通信システム内のユーザ局間で転送するものである（例えば、非特許文献１参照）。なお、ＰＴＴ（Ｐｕｓｈ  Ｔｏ  Ｔａｌｋ）とは、通信端末装置の具備する特定のボタンを押下することで、通信相手側とのワイヤレス通信を可能とする通信方法であり半二重伝送方式に適用可能な通信方法である。
【０００４】
また、本発明より先に出願された技術文献として、バックボーンとしてインターネットを利用しつつ、特定のメンバのグループ内だけで通信を行うＶＰＮ（Ｖｉｒｔｕａｌ  Ｐｒｉｖａｔｅ  Ｎｅｔｗｏｒｋ）等の、閉域ユーザグループ（ＣＵＧ（Ｃｌｏｓｅｄ  Ｕｓｅｒ  Ｇｒｏｕｐ））ネットワークの管理システムに関する技術として、メンバの追加のための設定の効率化を図ったＣＵＧネットワーク管理システムを提供するものがある（例えば、特許文献１参照）。
【０００５】
上記特許文献１は、メンバを追加したいＣＵＧ番号、追加すべきメンバ及びその接続ノードの情報をユーザインタフェース部に入力すると、メンバ情報追加部により、接続ノードの当該ＣＵＧ用メンバテーブルにメンバが追加され、ノード情報追加部により、ノード情報データベースの当該ＣＵＧ用の項目にノードが追加され、ノード情報収集部により、当該ＣＵＧに属する全ノードの情報が収集され、ルーティング情報収集部により、各ノードから当該ＣＵＧ用のルーティングテーブルのエントリが収集され、ルーティングテーブル追加部により、追加メンバが接続されるノード及び当該ＣＵＧに属する全ノードのルーティングテーブルのエントリが追加されることで、オペレータはＣＵＧに追加されるメンバの情報、ＣＵＧ番号、接続されるノードだけをユーザインタフェース部に入力するだけで、メンバの追加を行うことが可能となるものである。
【特許文献１】特開２０００−２４４５０８号公報
【非特許文献１】ＭＯＴＯＲＯＬＡ、“ｉＤＥＮ  Ｔｅｃｈｎｉｃａｌ  Ｏｖｅｒｖｉｅｗ”、［ｏｎｌｉｎｅ］、２０００年８月８日、モトローラ社・ネットワーク・ソリューション・セクター、［２００３年９月１２日］、インターネット＜ＵＲＬ：ｈｔｔｐ：／／ｉｄｅｎｐｈｏｎｅｓ．ｍｏｔｏｒｏｌａ．ｃｏｍ／ｉｄｅｎ／ｄｅｖｅｌｏｐｅｒ／ｄｅｖｅｌｏｐｅｒ＿ｔｅｃｈｎｉｃａｌ＿ｉｎｆｏ．ｊｓｐ＞Ｄｏｗｎｌｏａｄ  ｔｈｅ  Ｃｏｍｐｌｅｔｅ  ｉＤＥＮ  Ｓｙｓｔｅｍ  Ｏｖｅｒｖｉｅｗ  ｐｄｆ（２．７Ｍｂ）（Ｃｈａｐｔｅｒ４：Ｄｉｓｐａｔｃｈ  Ｃａｌｌ  Ｐｒｏｃｅｓｓｉｎｇ，４−３：Ｄｉｓｐａｔｃｈ  Ｌｏｃａｔｉｏｎ  Ａｒｅａ，Ｆｉｇｕｒｅ４−３  Ｓｉｍｐｌｉｆｉｅｄ  Ｄｉｓｐａｔｃｈ  Ｄｉａｇｒａｍ）
【発明の開示】
【発明が解決しようとする課題】
【０００６】
なお、従来のプレストークスイッチを用いた無線通信システムは、図１０に示唆するように、複数のＰＴＴ通信端末装置（１０００−１〜Ｎ（Ｎは任意の整数））と、ＰＴＴ通信端末装置（１０００−１〜Ｎ）間の無線通信を確立するＰＴＴサーバ（２０００）と、特定のＰＴＴ通信端末装置（１０００−１〜Ｎ）間で無線通信を行うためのＰＴＴ通信端末装置（１０００−１〜Ｎ）のグループ情報を管理するＣＵＧサーバ（３０００）と、を有した構成からなる無線通信システムである。そして、この無線通信システムをユーザが利用するには、オペレータがＰＣ（パーソナルコンピュータ）等の情報処理装置を用いて、所定のＰＴＴ通信端末装置（１０００−１〜Ｎ）間における無線通信を確立するためのグループ申請情報（ＣＵＧサーバ（３０００）が作成するグループテーブルを識別するためのグループ識別情報、グループ識別情報により識別されるグループテーブル内に含まれるＰＴＴ通信端末装置間において、無線通信を確立するＰＴＴ通信端末装置を識別するための端末識別情報などの必要事項）をＣＵＧサーバ（３０００）に登録することになる。これにより、ＣＵＧサーバ（３０００）は、登録されたグループ申請情報を基に、特定のＰＴＴ通信端末装置（１０００−１〜Ｎ）間における無線通信を確立するための図１１に示唆するようなグループテーブルを生成し、特定のＰＴＴ通信端末装置（１０００−１〜Ｎ）間における無線通信を確立することが可能となるものである。なお、ＣＵＧサーバ（３０００）が管理するグループテーブルには、図１１に示唆するように、ＰＴＴ通信端末装置（１０００−１〜Ｎ）間で無線通信を確立するためのグループテーブルを識別するグループ識別情報と、グループテーブル内に登録されているＰＴＴ通信端末装置（１０００−１〜Ｎ）間で無線通信処理を確立するためのＰＴＴ通信端末装置を識別する端末識別情報と、を有して構成されている。以下、図１２を参照しながら図１０に示唆する従来の無線通信システムにおける無線通信処理について説明する。
【０００７】
まず、ユーザは、ＰＣ等の情報処理装置を用いてグループ申請情報（ＣＵＧサーバ（３０００）が作成するグループテーブルを識別するためのグループ識別情報、グループ識別情報により識別されるグループテーブル内に含まれるＰＴＴ通信端末装置間において、無線通信を確立するＰＴＴ通信端末装置を識別するための端末識別情報などの必要事項）をＣＵＧサーバ（３０００）に登録する。ＣＵＧサーバ（３０００）は、登録されたグループ申請情報を基に、登録された端末識別情報のＰＴＴ通信端末装置（１０００−１〜Ｎ）間の無線通信を確立するためのグループテーブルを作成し、その作成したグループテーブルに、上記グループ識別情報を付与したグループ情報をＣＵＧサーバ（３０００）の具備する格納部に格納する（ステップＳ１０１）。これにより、特定のＰＴＴ通信端末装置（１０００−１〜Ｎ）間における無線通信を確立することが可能となる。
【０００８】
そして、第１のＰＴＴ通信端末装置の具備するプレストークスイッチが押下されると、第１のＰＴＴ通信端末装置は、グループ情報に含まれる他の第２のＰＴＴ通信端末装置に対する発呼要求をＰＴＴサーバ（２０００）に送信することになる（ステップＳ１０２）。ＰＴＴサーバ（２０００）は、第１のＰＴＴ通信端末装置からの発呼要求を受信すると、第１のＰＴＴ通信端末装置の属するグループ情報がＰＴＴサーバ（２０００）内に格納されているか否かを確認する。そして、ＰＴＴサーバ（２０００）は、第１のＰＴＴ通信端末装置装置の属するグループ情報がＰＴＴサーバ（２０００）内に格納されていないと判定した場合は、ＰＴＴサーバ（２０００）は、ＣＵＧサーバ（３０００）に第１のＰＴＴ通信端末装置の認証要求を送信する（ステップＳ１０３）。
【０００９】
ＣＵＧサーバ（３０００）は、ＰＴＴサーバ（２０００）から第１のＰＴＴ通信端末装置の認証要求を受信すると、ＣＵＧサーバ（３０００）の具備する格納部で管理するグループ情報内に第１のＰＴＴ通信端末装置の端末識別情報が登録されているか否かを確認し、第１のＰＴＴ通信端末装置の認証応答をＰＴＴサーバ（２０００）に送信することになる（ステップＳ１０４）。この認証応答として、ＰＴＴサーバ（２０００）が、第１のＰＴＴ通信端末装置の端末識別情報が含まれるグループ情報をＣＵＧサーバ（３０００）から取得すると、その取得したグループ情報をＰＴＴサーバ（２０００）内に格納することになる（ステップＳ１０５）。
【００１０】
そして、ＰＴＴサーバ（２０００）は、その格納したグループ情報内の他のＰＴＴ通信端末装置である第２のＰＴＴ通信端末装置に対して、第１のＰＴＴ通信端末装置から発信された音声等の情報を送信することになる（ステップＳ１０６）。そして、第１のＰＴＴ通信端末装置の具備するプレストークスイッチが放されると、第１のＰＴＴ通信端末装置からの音声等の情報の送信が終了することになる。
【００１１】
次に、第１のＰＴＴ通信端末装置の識別情報を含むグループ情報がＰＴＴサーバ（２０００）に格納された状態で、第２のＰＴＴ通信端末装置の具備するプレストークスイッチが押下されると、第２のＰＴＴ通信端末装置は、グループ情報に含まれる他の第１のＰＴＴ通信端末装置に対する発呼要求をＰＴＴサーバ（２０００）に送信することになる（ステップＳ１０７）。ＰＴＴサーバ（２０００）は、第２のＰＴＴ通信端末装置からの発呼要求を受信すると、第２のＰＴＴ通信端末装置の属するグループ情報に含まれる他のＰＴＴ通信端末装置である第１のＰＴＴ通信端末装置対して第２のＰＴＴ通信端末装置から発信された音声等の情報を送信することになる（ステップＳ１０８）。このように、従来の無線通信システムは、所定のＰＴＴ通信端末装置（１〜Ｎ）間における無線通信を確立するためのグループ申請情報をＣＵＧサーバ（３０００）に登録し、そのグループ申請情報を基に作成したグループ情報内のＰＴＴ通信端末装置（１０００−１〜Ｎ）間においてのみ無線通信を確立することになる。
【００１２】
なお、上記従来の無線通信システムは、ＣＵＧサーバ（３０００）が、所定のＰＴＴ通信端末装置（１０００−１〜Ｎ）間における無線通信を確立するためのグループ申請情報を基に、グループ情報を作成して管理することから、そのＣＵＧサーバ（３０００）が管理するグループ情報に含まれるＰＴＴ通信端末装置（１０００−１〜Ｎ）間での無線通信しか確立できないことになる。このため、ＣＵＧサーバ（３０００）が管理するグループ情報に登録されていない未登録のＰＴＴ通信端末装置と、そのグループ情報内に登録されている登録済みのＰＴＴ通信端末装置と、の間での無線通信を確立させるためには、上記ステップＳ１のようにＰＣ等の情報処理装置を用いて未登録のＰＴＴ通信端末装置の端末識別情報を、ＣＵＧサーバ（３０００）が管理するグループ情報に新規に登録しなくてはならない。しかしながら、ＣＵＧサーバ（３０００）が管理するグループ情報に対して未登録のＰＴＴ通信端末装置の端末識別情報を登録し、未登録のＰＴＴ通信端末装置と登録済みのＰＴＴ通信端末装置との無線通信を確立するまでには時間がかかることになる。このため、未登録のＰＴＴ通信端末装置による無線通信を迅速に確立することができず、プレストークスイッチを用いた無線通信の使用形態に制約がかかることになる。
【００１３】
なお、上記特許文献１は、メンバを追加したいＣＵＧ番号、追加すべきメンバ及びその接続ノードの情報をオペレータがユーザインタフェース部に入力することで、メンバの追加を自動的に行うことは可能であるが、メンバに追加する端末装置を用いて自動的にメンバの追加を行うことについては何ら考慮されていない。また、本願発明は、ＣＵＧの各メンバが接続されている全ノードについて、その追加するメンバが接続されたノードが所有するルーティングテーブルのエントリを設定するものではない。
【００１４】
本発明は上記事情に鑑みてなされたものであり、特定の移動局である通信端末装置間の無線通信を確立するためのグループ情報に対し、新たな移動局となる通信端末装置の参加を容易とし、プレストークスイッチを用いた無線通信の使用形態の規制を緩和させ、新規に参加したユーザが迅速に無線通信を行うことが可能となる制御局、無線通信システム及び無線通信方法を提供することを目的とするものである。
【課題を解決するための手段】
【００１５】
かかる目的を達成するために本発明は以下の特徴を有することとする。
【００１６】
本発明にかかる制御局は、プレストークスイッチを用いて無線通信を行う複数の移動局間における無線通信を確立する制御局であって、任意の移動局間における無線通信を確立するためのグループ申請要求を任意の通信装置から受信した際に、任意の移動局間における無線通信を確立するためのグループテーブルを生成し、該生成したグループテーブルに、該グループテーブルを識別するグループ識別情報を付与したグループ情報を作成し、該作成したグループ情報を格納するグループ情報格納手段と、グループテーブルに付与したグループ識別情報をグループ申請要求先の通信装置に送信するグループ識別情報送信手段と、移動局側からグループテーブルへの登録要求とグループ識別情報とを受信した際に、該受信したグループ識別情報が付与されたグループテーブルに登録要求先の移動局の情報を登録する登録手段と、グループテーブル内に登録された移動局間における無線通信を確立する無線通信確立手段と、を有することを特徴とするものである。
【００１７】
また、本発明にかかる制御局において、登録手段は、格納したグループ情報の中から、受信したグループ識別情報と一致するグループ識別情報を付与したグループテーブルを検索取得し、受信したグループ識別情報が付与されたグループテーブルに登録要求先の移動局の情報を登録することを特徴とするものである。
【００１８】
また、本発明にかかる制御局は、グループテーブルへの登録要求を許可する許可情報をグループ申請要求先の通信装置に送信する手段を更に有し、登録手段は、許可情報を受信した際に、グループテーブルに登録要求先の移動局の情報を登録することを特徴とするものである。
【００１９】
また、本発明にかかる制御局において、許可情報は、グループテーブルを生成した際に作成し、該作成した許可情報を生成したグループテーブルに付与してグループ情報を作成し、登録手段は、受信した許可情報が、グループテーブルに付与した許可情報と一致する場合にのみ、グループテーブルに登録要求先の移動局の情報を登録することを特徴とするものである。
【００２０】
また、本発明にかかる制御局は、グループ申請要求を任意の通信装置から受信した際に生成したグループテーブルに、グループテーブルを管理する移動局の情報を登録する手段を有することを特徴とするものである。
【００２１】
また、本発明にかかる制御局において、任意の通信装置は、移動局であり、移動局から受信した際に生成したグループテーブルに、グループテーブルを管理する移動局の情報を登録することを特徴とするものである。
【００２２】
また、本発明にかかる制御局は、任意の通信装置からグループテーブル内の移動局の削除要求を受信した際に、削除対象の移動局の情報をグループテーブル内から削除する削除手段を有することを特徴とするものである。
【００２３】
また、本発明にかかる制御局において、任意の通信装置は、グループテーブルを管理する移動局であり、削除手段は、グループテーブルを管理する移動局から、移動局の情報が登録されたグループテーブル内の移動局の削除要求を受信した場合にのみ、移動局の情報が登録されたグループテーブルを検索取得し、その検索取得したグループテーブルの中から削除対象の移動局の情報を削除することを特徴とするものである。
【００２４】
また、本発明にかかる制御局において、無線通信確立手段は、グループテーブル内に登録された移動局間における無線通信の確立要求を移動局側から受信した際に、確立要求を受信した移動局の情報が含まれるグループテーブルをグループ情報の中から検索取得し、該検索取得したグループテーブル内に登録された移動局間における無線通信を確立することを特徴とするものである。
【００２５】
また、本発明にかかる無線通信システムは、プレストークスイッチを用いて無線通信を行う複数の移動局と、任意の通信装置と、複数の移動局間における無線通信を確立する制御局と、を有する無線通信システムであって、制御局は、任意の移動局間における無線通信を確立するためのグループ申請要求を任意の通信装置から受信した際に、任意の移動局間における無線通信を確立するためのグループテーブルを生成し、該生成したグループテーブルに、該グループテーブルを識別するグループ識別情報を付与したグループ情報を作成し、該作成したグループ情報を格納するグループ情報格納手段と、グループテーブルに付与したグループ識別情報を、グループ申請要求先の任意の通信装置に送信するグループ識別情報送信手段と、移動局側からグループテーブルへの登録要求と、グループ識別情報と、移動局の情報と、を受信した際に、受信したグループ識別情報が付与されたグループテーブルに、受信した移動局の情報を登録する登録手段と、グループテーブル内に登録されている移動局間における無線通信の確立要求を移動局側から受信した際に、グループテーブル内に登録された移動局間における無線通信を確立する無線通信確立手段と、を有し、任意の通信装置は、任意の移動局間における無線通信を確立するためのグループ申請要求を制御局に送信する送信手段と、制御局からグループ識別情報を受信する受信手段と、を有し、移動局は、移動局自身の情報をグループテーブルへ登録するための登録要求と、グループテーブルを識別するためのグループ識別情報と、移動局の情報と、を制御局に送信するグループ登録要求手段と、移動局自身の情報を登録したグループテーブル内に登録されている移動局間における無線通信を確立するための確立要求を制御局に送信する無線通信確立要求手段と、を有することを特徴とするものである。
【００２６】
また、本発明にかかる無線通信システムにおいて、制御局は、移動局側からグループテーブルへの登録要求と、グループ識別情報と、移動局の情報と、を受信した際に、制御局に格納したグループ情報の中から、受信したグループ識別情報と一致するグループ識別情報が付与されたグループテーブルを検索取得し、受信したグループ識別情報が付与されたグループテーブルに、受信した移動局の情報を登録することを特徴とするものである。
【００２７】
また、本発明にかかる無線通信システムにおいて、制御局は、グループテーブルへの登録要求を許可する許可情報をグループ申請要求先の任意の通信装置に送信する手段を有し、任意の通信装置は、許可情報を制御局から受信する手段を有し、移動局は、移動局自身の情報をグループテーブルへ登録するための登録要求と、グループテーブルを識別するためのグループ識別情報と、移動局の情報と、共に、許可情報を制御局に送信する手段を有し、制御局は、許可情報を移動局から受信した際に、グループテーブルに受信した移動局の情報を登録することを特徴とするものである。
【００２８】
また、本発明にかかる無線通信システムにおいて、許可情報は、制御局がグループテーブルを生成した際に制御局が作成し、制御局は、作成した許可情報を生成したグループテーブルに付与してグループ情報を作成し、制御局は、制御局が受信した許可情報が、グループテーブルに付与した許可情報と一致する場合にのみ、グループテーブルに受信した移動局の情報を登録することを特徴とするものである。
【００２９】
また、本発明にかかる無線通信システムにおいて、制御局は、グループ申請要求を任意の通信装置から受信した際に生成したグループテーブルに、グループテーブルを管理する移動局の情報を登録する手段を有することを特徴とするものである。
【００３０】
また、本発明にかかる無線通信システムにおいて、任意の通信装置は、移動局であり、制御局は、移動局から受信した際に生成したグループテーブルに、グループテーブルを管理する移動局の情報を登録することを特徴とするものである。
【００３１】
また、本発明にかかる無線通信システムにおいて、任意の通信装置は、グループテーブル内の移動局の削除要求を制御局に送信する手段を有し、制御局は、任意の通信装置からグループテーブル内の移動局の削除要求を受信した際に、削除対象の移動局の情報をグループテーブル内から削除する削除手段を有することを特徴とするものである。
【００３２】
また、本発明にかかる無線通信システムにおいて、任意の通信装置は、グループテーブルを管理する移動局であり、制御局は、グループテーブルを管理する移動局から、移動局の情報が登録されたグループテーブル内の移動局の削除要求を受信した場合にのみ、移動局の情報が登録されたグループテーブルを検索取得し、その検索取得したグループテーブルの中から削除対象の移動局の情報を削除することを特徴とするものである。
【００３３】
また、本発明にかかる無線通信システムにおいて、制御局は、グループテーブル内に登録されている移動局間における無線通信の確立要求を移動局側から受信した際に、確立要求先の移動局側の情報が含まれるグループテーブルをグループ情報の中から検索取得し、該検索取得したグループテーブル内に登録された移動局間における無線通信を確立することを特徴とするものである。
【００３４】
また、本発明にかかる無線通信方法は、プレストークスイッチを用いて無線通信を行う複数の移動局と、任意の通信装置と、複数の移動局間における無線通信を確立する制御局と、を用いて行う無線通信方法であって、任意の通信装置が、任意の移動局間における無線通信を確立するためのグループ申請要求を制御局に送信する工程と、制御局が、グループ申請要求を任意の通信装置から受信した際に、任意の移動局間における無線通信を確立するためのグループテーブルを生成し、該生成したグループテーブルに、該グループテーブルを識別するグループ識別情報を付与したグループ情報を作成し、該作成したグループ情報を制御局の具備する格納部に格納する工程と、制御局が、作成したグループテーブルに付与したグループ識別情報をグループ申請要求先の任意の通信装置に送信する工程と、任意の通信装置が、グループ識別情報を制御局から受信する工程と、移動局が、移動局自身の情報をグループテーブルへ登録するための登録要求と、グループテーブルを識別するためのグループ識別情報と、移動局の情報と、を制御局に送信する工程と、制御局が、グループテーブルへの登録要求と、グループ識別情報と、移動局の情報と、を移動局側から受信した際に、受信したグループ識別情報が付与されたグループテーブルに、受信した移動局の情報を登録する工程と、移動局が、移動局自身の情報を登録したグループテーブル内に登録されている移動局間における無線通信を確立するための確立要求を制御局に送信する工程と、制御局が、移動局間における無線通信の確立要求を移動局から受信した際に、グループテーブル内に登録された移動局間における無線通信を確立する工程と、を行うことを特徴とするものである。
【００３５】
また、本発明にかかる無線通信方法において、制御局は、グループテーブルへの登録要求と、グループ識別情報と、移動局の情報と、を移動局側から受信した際に、制御局に格納したグループ情報の中から、制御局が移動局から受信したグループ識別情報と一致するグループ識別情報が付与されたグループテーブルを検索取得し、受信したグループ識別情報が付与されたグループテーブルに、受信した移動局の情報を登録することを特徴とするものである。
【００３６】
また、本発明にかかる無線通信方法は、制御局が、グループテーブルへの登録要求を許可する許可情報をグループ申請要求先の任意の通信装置に送信する工程と、任意の通信装置が、許可情報を制御局から受信する工程と、移動局が、移動局自身の情報をグループテーブルへ登録するための登録要求と、グループテーブルを識別するためのグループ識別情報と、移動局の情報と、共に、許可情報を制御局に送信する工程と、を行い、制御局は、許可情報を移動局から受信した際に、グループテーブルに登録要求先の移動局の情報を登録することを特徴とするものである。
【００３７】
また、本発明にかかる無線通信方法において、許可情報は、制御局がグループテーブルを生成した際に制御局が作成し、制御局は、作成した許可情報を生成したグループテーブルに付与してグループ情報を作成し、制御局は、移動局から受信した許可情報が、グループテーブルに付与した許可情報と一致する場合にのみ、グループテーブルに受信した移動局の情報を登録することを特徴とするものである。
【００３８】
また、本発明にかかる無線通信方法において、制御局は、グループ申請要求を任意の通信装置から受信した際に生成したグループテーブルに、グループテーブルを管理する移動局の情報を登録する工程を行うことを特徴とするものである。
【００３９】
また、本発明にかかる無線通信方法において、任意の通信装置は、移動局であり、制御局は、移動局から受信した際に生成したグループテーブルに、グループテーブルを管理する移動局の情報を登録することを特徴とするものである。
【００４０】
また、本発明にかかる無線通信方法は、任意の通信装置が、グループテーブル内の移動局の削除要求を制御局に送信する工程と、制御局が、任意の通信装置からグループテーブル内の移動局の削除要求を受信した際に、削除対象の移動局の情報をグループテーブル内から削除する工程と、を行うことを特徴とするものである。
【００４１】
また、本発明にかかる無線通信方法において、任意の通信装置は、グループテーブルを管理する移動局であり、制御局は、グループテーブルを管理する移動局から、移動局の情報が登録されたグループテーブル内の移動局の削除要求を受信した場合にのみ、移動局の情報が登録されたグループテーブルを検索取得し、その検索取得したグループテーブルの中から削除対象の移動局の情報を削除することを特徴とするものである。
【００４２】
また、本発明にかかる無線通信方法において、制御局は、グループテーブル内に登録されている移動局間における無線通信の確立要求を移動局側から受信した際に、確立要求先の移動局側の情報が含まれるグループテーブルをグループ情報の中から検索取得し、該検索取得したグループテーブル内に登録された移動局間における無線通信を確立することを特徴とするものである。
【発明の効果】
【００４３】
本発明にかかる制御局は、プレストークスイッチを用いて無線通信を行う複数の移動局間における無線通信を確立する制御局であり、任意の移動局間における無線通信を確立するためのグループ申請要求を任意の通信装置から受信した際に、任意の移動局間における無線通信を確立するためのグループテーブルを生成し、該生成したグループテーブルに、該グループテーブルを識別するグループ識別情報を付与したグループ情報を作成し、該作成したグループ情報を格納する。そして、グループテーブルに付与したグループ識別情報をグループ申請要求先の通信装置に送信する。そして、移動局側からグループテーブルへの登録要求とグループ識別情報とを受信した際に、該受信したグループ識別情報が付与されたグループテーブルに登録要求先の移動局の情報を登録し、グループテーブル内に登録された移動局間における無線通信を確立することになる。これにより、特定の移動局の無線通信を確立するためのグループ情報に対し、新たな移動局の参加を容易とし、プレストークスイッチを用いた無線通信の使用形態の規制を緩和させ、新規に参加したユーザが迅速に無線通信を行うことが可能となる。
【００４４】
また、本発明にかかる無線通信システム、無線通信方法は、プレストークスイッチを用いて無線通信を行う複数の移動局と、任意の通信装置と、複数の移動局間における無線通信を確立する制御局と、を有し、任意の通信装置は、任意の移動局間における無線通信を確立するためのグループ申請要求を制御局に送信し、制御局は、グループ申請要求を任意の通信装置から受信した際に、任意の移動局間における無線通信を確立するためのグループテーブルを生成し、該生成したグループテーブルに、該グループテーブルを識別するグループ識別情報を付与したグループ情報を作成し、該作成したグループ情報を制御局の具備する格納部に格納することになる。そして、制御局は、作成したグループテーブルに付与したグループ識別情報をグループ申請要求先の任意の通信装置に送信し、任意の通信装置は、グループ識別情報を制御局から受信することになる。そして、移動局は、移動局自身の情報をグループテーブルへ登録するための登録要求と、その登録要求先のグループテーブルを識別するためのグループ識別情報と、移動局の情報と、を制御局に送信し、制御局は、グループテーブルへの登録要求と、グループ識別情報と、移動局の情報と、を移動局側から受信した際に、その受信したグループ識別情報が付与されたグループテーブルに受信した移動局の情報を登録する。そして、移動局は、移動局自身の情報が登録されたグループテーブル内に登録された移動局間における無線通信の確立要求を制御局に送信し、制御局は、移動局間における無線通信の確立要求を移動局から受信した際に、グループテーブル内に登録された移動局間における無線通信を確立することになる。これにより、特定の移動局の無線通信を確立するためのグループ情報に対し、新たな移動局の参加を容易とし、プレストークスイッチを用いた無線通信の使用形態の規制を緩和させ、新規に参加したユーザが迅速に無線通信を行うことが可能となる。
【発明を実施するための最良の形態】
【００４５】
まず、図１を参照しながら、本発明にかかる無線通信システムの特徴について説明する。
【００４６】
本発明にかかる無線通信システムは、プレストークスイッチを用いて無線通信を行う複数の移動局となるＰＯＣ通信端末装置（１〜Ｎ）と、任意の通信装置（ＰＯＣホスト通信端末装置、または、ＰＣ等の情報処理装置）と、複数の移動局となるＰＯＣ通信端末装置（１〜Ｎ）間における無線通信を確立する制御局側（呼制御サーバ（１００）、ＣＵＧサーバ（２００）、ＰＯＣサーバ（３００）、プレゼンスサーバ（４００））と、を有し、任意の通信装置（ＰＯＣホスト通信端末装置、または、ＰＣ等の情報処理装置）は、任意の移動局となるＰＯＣ通信端末装置（１〜Ｎ）間における無線通信を確立するためのグループ申請要求を制御局側に送信し、制御局側は、グループ申請要求を任意の通信装置（ＰＯＣホスト通信端末装置、または、ＰＣ等の情報処理装置）から受信した際に、任意の移動局となるＰＯＣ通信端末装置（１〜Ｎ）間における無線通信を確立するためのグループテーブルを生成し、該生成したグループテーブルに、該グループテーブルを識別するグループ識別情報を付与したグループ情報を作成し、該作成したグループ情報を制御局側の具備する格納部に格納することになる。そして、制御局側は、上記作成したグループテーブルに付与したグループ識別情報をグループ申請要求先の任意の通信装置（ＰＯＣホスト通信端末装置、または、ＰＣ等の情報処理装置）に送信し、任意の通信装置（ＰＯＣホスト通信端末装置、または、ＰＣ等の情報処理装置）は、グループ識別情報を制御局側から受信することになる。そして、移動局となるＰＯＣ通信端末装置（１〜Ｎ）は、移動局自身の情報（端末識別情報）をグループテーブルへ登録するための登録要求と、その登録要求先のグループテーブルを識別するためのグループ識別情報と、移動局の情報（端末識別情報）と、を制御局側に送信し、制御局側は、グループテーブルへの登録要求と、グループ識別情報と、移動局の情報（端末識別情報）と、を移動局側から受信した際に、その受信したグループ識別情報が付与されたグループテーブルに、移動局となるＰＯＣ通信端末装置（１〜Ｎ）の端末識別情報を登録することになる。そして、移動局となるＰＯＣ通信端末装置（１〜Ｎ）は、移動局自身の情報（端末識別情報）が登録されたグループテーブル内に登録された移動局となるＰＯＣ通信端末装置（１〜Ｎ）間における無線通信の確立要求を制御局側に送信し、制御局側は、無線通信の確立要求を移動局となるＰＯＣ通信端末装置（１〜Ｎ）から受信した際に、グループテーブル内に登録された移動局となるＰＯＣ通信端末装置（１〜Ｎ）間の無線通信を確立することになる。これにより、特定の移動局となるＰＯＣ通信端末装置（１〜Ｎ）間の無線通信を確立するためのグループ情報に対する新たな移動局となるＰＯＣ通信端末装置の参加を容易とし、プレストークスイッチを用いた無線通信の使用形態の規制を緩和させ、新規に参加したユーザが迅速に無線通信を行うことが可能となる。また、本発明にかかる無線通信システムは、制御局側が、グループテーブルへの登録要求を許可する許可情報となるパスワードをグループ申請要求先の任意の通信装置（ＰＯＣホスト通信端末装置、または、ＰＣ等の情報処理装置）に送信する。そして、移動局となるＰＯＣ通信端末装置（１〜Ｎ）が、移動局自身の情報（端末識別情報）をグループテーブルへ登録するための登録要求と、グループテーブルを識別するためのグループ識別情報と、移動局の情報と、共に、許可情報となるパスワードを制御局側に送信し、制御局側が、許可情報となるパスワードを移動局側から受信した際に、その受信した移動局となるＰＯＣ通信端末装置の情報（端末識別情報）をグループテーブルに登録するように構築することも可能である。これにより、グループテーブル内に移動局となるＰＯＣ通信端末装置の情報（端末識別情報）を登録する際のセキュリティを向上させることが可能となる。
【実施例１】
【００４７】
以下、添付図面を参照しながら、本発明にかかる実施例について説明する。
まず、図１を参照しながら、本発明にかかる無線通信システムのシステム構成について説明する。
【００４８】
本発明にかかる無線通信システムは、トランシーバー機能を搭載し、プレストークスイッチを用いたワイヤレス通信を行う移動局側となるＰＯＣ（Ｐｕｓｈ  ｔｏ  ｔａｌｋ  Ｏｖｅｒ  Ｃｅｌｌｕｌａｒ）通信端末装置（１〜Ｎ（Ｎは任意の整数））と、ＰＯＣ通信端末装置（１〜Ｎ）間の無線通信を確立させる制御局側となる呼制御サーバ（１００）、無線通信を行うＰＯＣ通信端末装置（１〜Ｎ）間のグループ情報を管理するＣＵＧサーバ（２００）、ＣＵＧサーバ（２００）が管理するＰＯＣ通信端末装置（１〜Ｎ）間のグループ情報を取得し、その取得したグループ情報を基に、呼制御サーバ（１００）によるＰＯＣ通信端末装置（１〜Ｎ）間の無線通信を管理するＰＯＣサーバ（３００）、ＣＵＧサーバ（２００）が管理するグループ情報内に含まれるＰＯＣ通信端末装置（１〜Ｎ）の最新の機器状態（ＰＯＣ通信端末装置の位置情報や、ＰＯＣ通信端末装置の通話状態）を管理するプレゼンスサーバ（４００）と、を有して構成されている。
【００４９】
（ＰＯＣ通信端末装置（１〜Ｎ））
ＰＯＣ通信端末装置（１〜Ｎ）は、ＰＯＣ通信端末装置の具備する所定のボタン（プレストークスイッチ）を押下することで、そのＰＯＣ通信端末装置の識別情報が含まれるグループ情報内のＰＯＣ通信端末装置間の無線通信を行う通信端末装置である。
【００５０】
ＰＯＣ通信端末装置（１〜Ｎ）は、図２に示唆するように、アンテナ部（１−１）と、無線送信部（１−２）と、無線受信部（１−３）と、情報格納部（１−４）、プレストークスイッチ（１−５）と、制御部（１−６）と、マイク（１−７）と、イヤホン（１−８）と、を有して構成されている。
【００５１】
情報格納部（１−４）は、特定のグループ内のＰＯＣ通信端末装置間で無線通信を行う際に必要となるグループ情報を格納する格納部であり、このグループ情報を基に制御局側との呼制御を確立し、ＣＵＧサーバ（２００）内で管理するグループ情報内に含まれる端末識別情報のＰＯＣ通信端末装置との無線通信を行うことになる。
【００５２】
なお、ＰＯＣ通信端末装置を用いて、ＣＵＧサーバ（２００）が管理するグループ情報内に含まれる端末識別情報のＰＯＣ通信端末装置に対して音声情報を送信する場合は、まず、ＰＯＣ通信端末装置の具備するプレストークスイッチ（１−５）を押下することで、マイク（１−７）を介して取得した音声情報が無線送信部（１−２）に入力されることになり、無線通信のための変調を受けてアンテナ部（１−１）から送信されることになる。また、外部のＰＯＣ通信端末装置から送信される音声情報は、無線受信部（１−３）を介して入力され、その無線受信部（１−３）に入力された音声情報がイヤホン（１−８）から出力されることになる。
【００５３】
（呼制御サーバ（１００））
呼制御サーバ（１００）は、ＰＯＣ通信端末装置（１〜Ｎ）間の無線通信を確立させる制御局側の一部の処理装置であり、ＣＵＧサーバ（２００）が管理するグループ情報を格納し、その格納したグループ情報内に含まれるＰＯＣ通信端末装置間の無線通信を確立させることになる。なお、呼制御サーバ（１００）は、複数の無線基地局（１０１−１〜Ｎ）と、ＣＵＧサーバ（２００）と、ＰＯＣサーバ（３００）と、プレゼンスサーバ（４００）と、接続されている。なお、図１には示唆しないが、ＰＣ等の情報処理装置とインターネットを介して接続することも可能である。
【００５４】
（ＣＵＧサーバ（２００））
ＣＵＧサーバ（２００）は、制御局側の一部の処理装置であり、ＰＯＣサーバ（３００）を介して無線通信を行うＰＯＣ通信端末装置（１〜Ｎ）間のグループ情報を管理するものである。ＣＵＧサーバ（２００）は、図３に示唆するグループ情報の基となるグループテーブルを作成し、該生成したグループテーブルに、そのグループテーブルを識別するためのグループ識別情報を付加させ、ＣＵＧサーバ（２００）の具備する格納部に格納して管理することになる。このＣＵＧサーバ（２００）が管理するグループ情報は、図３に示唆するように、ＰＯＣ通信端末装置間で無線通信を確立するためのグループテーブルを識別するグループ識別情報と、グループテーブル内に登録されているＰＯＣ通信端末装置間で無線通信を確立するためのＰＯＣ通信端末装置を識別する端末識別情報と、グループテーブル内に登録されているＰＯＣ通信端末装置間で無線通信を確立する有効期限を示唆する有効期限情報（例えば、一日、１週間、無制限等の有効期限情報）と、を有して構成されている。なお、端末識別情報は、グループテーブル内で無線通信を行うＰＯＣ通信端末装置を管理するホストとなるＰＯＣホスト通信端末装置の端末識別情報（ＰＯＣホスト端末識別情報）と、そのグループテーブル内に参加して無線通信を行うＰＯＣ通信端末装置の端末識別情報（第１〜第ＮのＰＯＣ端末識別情報）と、を有して構成される。
【００５５】
（ＰＯＣサーバ（３００））
ＰＯＣサーバ（３００）は、ＰＯＣ通信端末装置（１〜Ｎ）間の無線通信を確立させる制御局側の一部の処理装置である。ＰＯＣサーバ（３００）は、ＣＵＧサーバ（２００）が管理するＰＯＣ通信端末装置（１〜Ｎ）間のグループ情報を取得し、その取得したグループ情報を基に、ＰＯＣ通信端末装置（１〜Ｎ）間の無線通信の呼制御を呼制御サーバ（１００）において確立させ、ＰＯＣ通信端末装置（１〜Ｎ）と呼制御サーバ（１００）との間の無線通信を管理することになる。
【００５６】
なお、制御局側でＰＯＣ通信端末装置（１〜Ｎ）間の無線通信を確立するには、図１に示唆する無線通信システム構成において、ＰＯＣ通信端末装置（１〜Ｎ）から送信されたＰＯＣ通信端末装置（１〜Ｎ）の発呼要求が無線基地局（１０１−１〜Ｎ）を介して呼制御サーバ（１００）に送信された際に、呼制御サーバ（１００）が、ＰＯＣ通信端末装置（１〜Ｎ）から送信されたＰＯＣ通信端末装置（１〜Ｎ）の発呼要求をＰＯＣサーバ（３００）に送信することになる。そして、ＰＯＣサーバ（３００）は、呼制御サーバ（１００）から送信されたＰＯＣ通信端末装置（１〜Ｎ）の発呼要求を基に、ＣＵＧサーバ（２００）にアクセスし、発呼要求を行ったＰＯＣ通信端末装置（１〜Ｎ）の認証処理を、ＣＵＧサーバ（２００）が管理するグループ情報を基に行うことになる。この認証処理により、ＣＵＧサーバ（２００）が管理するＰＯＣ通信端末装置（１〜Ｎ）の端末識別情報を含むグループ情報をＰＯＣサーバ（３００）が取得することになる。そして、ＰＯＣサーバ（３００）は、ＣＵＧサーバ（２００）から取得したグループ情報内のＰＯＣ通信端末装置（１〜Ｎ）間の呼制御を呼制御サーバ（１００）において確立させることになる。そして、ＰＯＣ通信端末装置（１〜Ｎ）から送信された音声情報が無線基地局（１０１−１〜Ｎ）を介して呼制御サーバ（１００）に送信されると、呼制御サーバ（１００）は、ＣＵＧサーバ（２００）から取得したグループ情報内の無線通信が確立されたＰＯＣ通信端末装置（１〜Ｎ）に対して音声情報を送信することになる。
【００５７】
（プレゼンスサーバ（４００））
プレゼンスサーバ（４００）は、ＰＯＣ通信端末装置（１〜Ｎ）間の無線通信を確立させる制御局側の一部の処理装置であり、ＣＵＧサーバ（２００）が管理するグループ情報内に含まれるＰＯＣ通信端末装置（１〜Ｎ）の最新の機器状態（ＰＯＣ通信端末装置の位置情報や、ＰＯＣ通信端末装置の通話状態）を管理するものである。
【００５８】
プレゼンスサーバ（４００）は、ＣＵＧサーバ（２００）が管理するグループ情報に含まれるＰＯＣ通信端末装置の機器状態を検出する機器状態検出部（図示せず）と、ＰＯＣ通信端末装置の機器状態を格納する機器状態格納部（図示せず）と、を有して構成されている。なお、機器状態格納部（図示せず）は、例えば図４に示唆するように、ＣＵＧサーバ（２００）が管理するグループテーブルと同様な構成からなる管理テーブルにてＰＯＣ通信端末装置の機器状態を管理することになる。この図４に示唆する管理テーブルは、ＣＵＧサーバ（２００）が管理する図３に示唆するグループ情報に含まれるグループ識別情報と、ＰＯＣ通信端末装置毎の通話状態と、ＰＯＣ通信端末装置毎の位置情報と、を有して構成されることになる。なお、プレゼンスサーバ（４００）にて管理する管理テーブルの構成は特に限定するものではなく、ＣＵＧサーバ（２００）が管理するグループ情報に含まれるＰＯＣ通信端末装置の最新の機器状態をプレゼンスサーバ（４００）内で管理できる構成であれば、特に限定するものではなく、ＰＯＣ通信端末装置の位置情報毎（ＰＯＣ通信端末装置が現在位置する地域エリア毎）にＰＯＣ通信端末装置を管理することも可能である。
【００５９】
なお、プレゼンスサーバ（４００）は機器状態検出部（図示せず）により、ＣＵＧサーバ（２００）が管理するグループ情報を取得し、その取得したグループ情報に含まれるＰＯＣ通信端末装置の最新の機器状態を検出し、その検出したＰＯＣ通信端末装置の機器状態を機器状態格納部（図示せず）に格納して管理することになる。なお、ＣＵＧサーバ（２００）が管理するグループ情報の取得方法や、そのグループ情報に含まれるＰＯＣ通信端末装置の機器状態の検出方法は、図４に示唆する管理テーブルを構築できれば特に限定しないものとする。例えば、ＣＵＧサーバ（２００）が管理するグループ情報をプレゼンスサーバ（４００）が取得する際の方法としては、ＣＵＧサーバ（２００）がグループ情報をプレゼンスサーバ（４００）に定期的（または随時）に送信したり、プレゼンスサーバ（４００）がＣＵＧサーバ（２００）に取得要求を送信したりすることで、プレゼンスサーバ（４００）がＣＵＧサーバ（２００）からグループ情報を取得することになる。また、機器状態の検出方法としては、プレゼンスサーバ（４００）がＰＯＣ通信端末装置（１〜Ｎ）に対してアクセスすることで、ＰＯＣ通信端末装置（１〜Ｎ）の機器状態を検出したり、ＰＯＣ通信端末装置（１〜Ｎ）が無線基地局（１００−１〜Ｎ）を介して呼制御サーバ（１００）と位置登録の更新処理を行う際に、呼制御サーバ（１００）からＰＯＣ通信端末装置（１〜Ｎ）の機器状態を検出したりすることも可能である。
【００６０】
このように、プレゼンスサーバ（４００）が、ＣＵＧサーバ（２００）にて管理するグループ情報に含まれるＰＯＣ通信端末装置の機器状態（ＰＯＣ通信端末装置の位置情報、ＰＯＣ通信端末装置の通話状態）を管理することで、ＰＯＣ通信端末装置は、ＣＵＧサーバ（２００）が管理するグループ情報内のＰＯＣ通信端末装置間で無線通信を確立する際に、そのグループ情報に含まれるＰＯＣ通信端末装置の最新の機器状態を把握することが可能となり、どのＰＯＣ通信端末装置がオンラインであるかオフラインであるかを把握したり、どのＰＯＣ通信端末装置がどの位置にいるのかを把握したりすることが可能となる。なお、プレゼンスサーバ（４００）が管理するＰＯＣ通信端末装置の機器状態は、ＣＵＧサーバ（２００）がプレゼンスサーバ（４００）にアクセスすることで、ＣＵＧサーバ（２００）が取得することになり、このＣＵＧサーバ（２００）が取得したＰＯＣ通信端末装置の機器状態を、ＰＯＣサーバ（３００）、呼制御サーバ（１００）を介して確立要求先のＰＯＣ通信端末装置に提供することになる。そして、確立要求先のＰＯＣ通信端末装置の具備する表示部に表示されることで、ユーザがＰＯＣ通信端末装置の機器状態を把握することになる。なお、ＰＯＣ通信端末装置が、グループ情報内のＰＯＣ通信端末装置の機器状態を取得する際に行われる各装置間の処理動作の一例について、図１に示唆する無線通信システムの構成を参照しながら以下に説明することとする。
【００６１】
まず、ＰＯＣ通信端末装置（１〜Ｎ）は、ＰＯＣ通信端末装置自身の端末識別情報が登録されたグループ情報内に含まれるＰＯＣ通信端末装置間で無線通信を確立するための確立要求を無線基地局（１００−１〜Ｎ）を介して制御局側に送信する。このＰＯＣ通信端末装置（１〜Ｎ）が送信した確立要求は、制御局側の呼制御サーバ（１００）が受信し、呼制御サーバ（１００）は、ＰＯＣ通信端末装置（１〜Ｎ）から受信した確立要求をＰＯＣサーバ（３００）に送信する。ＰＯＣサーバ（３００）は、ＰＯＣ通信端末装置（１〜Ｎ）の確立要求を呼制御サーバ（１００）から受信した際に、その受信したＰＯＣ通信端末装置（１〜Ｎ）の確立要求を基に、ＣＵＧサーバ（２００）にアクセスし、確立要求を行ったＰＯＣ通信端末装置（１〜Ｎ）の認証要求をＣＵＧサーバ（２００）に送信する。そして、ＣＵＧサーバ（２００）は、ＰＯＣサーバ（３００）から受信したＰＯＣ通信端末装置（１〜Ｎ）の認証処理をＣＵＧサーバ（２００）が管理するグループ情報を基に行うことになる。この時、ＣＵＧサーバ（２００）は、ＣＵＧサーバ（２００）が管理するグループ情報内に確立要求先のＰＯＣ通信端末装置（１〜Ｎ）の端末識別情報が登録されている場合は、プレゼンスサーバ（４００）にアクセスし、その確立要求先のＰＯＣ通信端末装置（１〜Ｎ）の端末識別情報が登録されているグループ情報内に含まれるＰＯＣ通信端末装置の機器状態を取得することになる。そして、ＣＵＧサーバ（２００）は、確立要求先のＰＯＣ通信端末装置（１〜Ｎ）の端末識別情報が登録されているグループ情報と共に、そのグループ情報内に含まれるＰＯＣ通信端末装置の機器状態をＰＯＣサーバ（３００）に送信し、ＰＯＣサーバ（３００）は、ＣＵＧサーバ（２００）から受信したグループ情報とＰＯＣ通信端末装置の機器状態とを呼制御サーバ（１００）を介して確立要求先のＰＯＣ通信端末装置（１〜Ｎ）に送信することになる。これにより、確立要求先のＰＯＣ通信端末装置（１〜Ｎ）は、ＣＵＧサーバ（２００）が管理するグループ情報内のＰＯＣ通信端末装置の機器状態を取得することが可能となる。なお、上記処理動作において、ＣＵＧサーバ（２００）が管理するグループ情報内に、確立要求先のＰＯＣ通信端末装置（１〜Ｎ）の端末識別情報が登録されている場合に、ＣＵＧサーバ（２００）がプレゼンスサーバ（４００）にアクセスし、機器状態を取得することとしたが、ＣＵＧサーバ（２００）が定期的にプレゼンスサーバ（４００）にアクセスし、機器状態を取得しておくことも可能である。また、上記処理動において、ＣＵＧサーバ（２００）は、グループ情報と共に機器状態をＰＯＣサーバ（３００）に送信したが、ＣＵＧ（２００）は、機器状態を含めたグループ情報を作成し、そのグループ情報を送信することも可能である。なお、ＣＵＧサーバ（２００）がプレゼンスサーバ（４００）に定期的にアクセスし、機器状態を取得しておく場合には、その機器状態を含めたグループ情報を作成して管理することも可能である。
【００６２】
（ＣＵＧサーバ（２００）にて管理するグループ情報（ＣＵＧグループ）の作成方法）
次に、図５を参照しながら図１に示唆する無線通信システムを用いて特定のグループ内のＰＯＣ通信端末装置間で無線通信を行う際に必要となるグループ情報（ＣＵＧグループ）の作成方法について説明する。
【００６３】
まず、ＰＯＣ通信端末装置間で無線通信を行うホストとなるユーザは、そのユーザの保持するＰＯＣホスト通信端末装置を用いてＣＵＧサーバ（２００）にアクセスし、任意のＰＯＣ通信端末装置間で無線通信を確立するためのグループ申請情報（ＣＵＧサーバ（２００）にて新たに生成するグループテーブルを識別するためのグループ識別情報、グループテーブルに登録されるＰＯＣホスト通信端末装置の端末識別情報、無線通信を確立する有効期限を設定する有効期限情報等の必要事項）をＣＵＧサーバ（２００）に登録することになる（ステップＳ１）。
【００６４】
ＣＵＧサーバ（２００）は、ＰＯＣホスト通信端末装置から登録されたグループ申請情報を基に、ＰＯＣホスト通信端末装置の端末識別情報（ＰＯＣホスト端末識別情報）のみが含まれたグループテーブルを作成し、その作成したグループテーブルに、グループ識別情報と、有効期限情報と、を付与した図６に示唆するグループ情報をＣＵＧサーバ（２００）の具備する格納部に格納することになる（ステップＳ２）。
【００６５】
なお、上記の処理においてＣＵＧサーバ（２００）がグループ情報を作成する際は、ＰＯＣホスト通信端末装置からＣＵＧサーバ（２００）に対してグループ識別情報を登録することとしたが、ＣＵＧサーバ（２００）がＰＯＣホスト通信端末装置からグループ申請要求を受信した際に、ＣＵＧサーバ（２００）が任意にグループ識別情報を生成し、その生成したグループ識別情報をグループテーブルに付与することも可能である。
【００６６】
次に、ＰＯＣホスト通信端末装置からのグループ申請要求を受信した際にＣＵＧサーバ（２００）が作成したグループ情報を、ＣＵＧサーバ（２００）の具備する格納部に格納した際に、ＣＵＧサーバ（２００）は、そのグループ情報を更新する際に必要となるパスワードを生成し、その生成したパスワードと、そのＣＵＧサーバ（２００）の具備する格納部に格納したグループ情報に含まれるグループ識別情報と、をアクセス先のＰＯＣホスト通信端末装置に対して送信することになる（ステップＳ３）。
【００６７】
グループ識別情報と、パスワードと、を受信したＰＯＣホスト通信端末装置を保持するホストとなるユーザは、任意のＰＯＣ通信端末装置間における無線通信を確立したい参加者に対して、何らかの方法を用いてＣＵＧサーバ（２００）から受信したグループ識別情報と、パスワードと、を通知することになる。このグループ識別情報と、パスワードと、の通知方法は特に限定するものではなく、ＰＯＣホスト通信端末装置から参加者の保持するＰＯＣ通信端末装置に対してＥメールやショートメールにて通知したり、口答や、メモにより通知したりすることも可能である。
【００６８】
次に、何らかの方法によりグループ識別情報と、パスワードと、を取得した第１の参加者は、その第１の参加者の保持する第１のＰＯＣ通信端末装置を用いてＣＵＧサーバ（２００）にアクセスし、グループ識別情報と、パスワードと、をＣＵＧサーバ（２００）に送信することになる（ステップＳ４）。
【００６９】
グループ識別情報と、パスワードと、を第１のＰＯＣ通信端末装置から受信したＣＵＧサーバ（２００）は、第１のＰＯＣ通信端末装置から受信したグループ識別情報と一致するグループ識別情報を含むグループ情報を検索取得することになり、ＣＵＧサーバ（２００）は、その検索取得したグループ情報内に第１のＰＯＣ通信端末装置の端末識別情報を登録し、ＣＵＧサーバ（２００）が管理するグループ情報を図７に示唆するように自動的に更新することになる（ステップＳ５）。これにより、そのＣＵＧサーバ（２００）が管理するグループ情報（図７参照）内に登録された第１のＰＯＣ通信端末装置は、第１のＰＯＣ通信端末装置の具備するプレストークスイッチを押下することで、第１のＰＯＣ通信端末装置の端末識別情報が登録されているグループ情報（図７参照）内の他のＰＯＣ通信端末装置であるＰＯＣホスト通信端末装置と無線通信を確立することが可能となる。
【００７０】
なお、グループ情報内に第１のＰＯＣ通信端末装置の端末識別情報を登録するには、ＣＵＧサーバ（２００）が第１のＰＯＣ通信端末装置から受信したパスワードが、そのグループ情報内への端末識別情報の登録を許可するためのパスワードと一致した場合に実行することになる。
【００７１】
また、第１の参加者と同様に、グループ識別情報と、パスワードと、を取得した第Ｎ（Ｎは任意の整数）の参加者は、その第Ｎの参加者の保持する第ＮのＰＯＣ通信端末装置を用いてＣＵＧサーバ（２００）にアクセスし、グループ識別情報と、パスワードと、をＣＵＧサーバ（２００）に送信することになる（ステップＳ６）。
【００７２】
グループ識別情報と、パスワードと、を第ＮのＰＯＣ通信端末装置から受信したＣＵＧサーバ（２００）は、第ＮのＰＯＣ通信端末装置から受信したグループ識別情報と一致するグループ識別情報を含むグループ情報を検索取得することになり、ＣＵＧサーバ（２００）は、その検索取得したグループ情報内に第ＮのＰＯＣ通信端末装置の端末識別情報を登録し、ＣＵＧサーバ（２００）が管理するグループ情報を図３に示唆するように自動的に更新することになる（ステップＳ７）。これにより、そのＣＵＧサーバ（２００）が管理するグループ情報内に登録された第ＮのＰＯＣ通信端末装置は、第ＮのＰＯＣ通信端末装置の具備するプレストークスイッチを押下することで、第ＮのＰＯＣ通信端末装置の端末識別情報が登録されているグループ情報（図３参照）内に登録されているＰＯＣホスト通信端末装置や第１のＰＯＣ通信端末装置を含む複数のＰＯＣ通信端末装置との無線通信を確立することが可能となる。
【００７３】
このように、グループ識別情報と、パスワードと、を取得した参加者は、参加者の保持するＰＯＣ通信端末装置を用いてＣＵＧサーバ（２００）にアクセスし、グループ識別情報とパスワードとを送信することで、ＣＵＧサーバ（２００）にて管理するグループ情報内に参加者の保持するＰＯＣ通信端末装置の端末識別情報を自動的に登録することが可能となり、ＣＵＧサーバ（２００）が管理するグループ情報内のメンバーリスト（ＰＯＣ通信端末装置の端末識別情報）を動的に更新することが可能となる。これにより、そのＣＵＧサーバ（２００）が管理するグループ情報内に登録されたＰＯＣ通信端末装置間での無線通信を迅速に確立することが可能となる。
【００７４】
なお、上記処理動作は、ステップＳ１において、ＰＯＣホスト通信端末装置がＣＵＧサーバ（２００）にアクセスし、グループ申請情報をＣＵＧサーバ（２００）に送信することで、ＣＵＧサーバ（２００）が新規のグループテーブルを生成し、ＰＯＣホスト通信端末装置の端末識別情報が登録されたグループ情報を作成することとしたが、ＰＣ等の情報処理装置を用いてＣＵＧサーバ（２００）にアクセスし、グループ申請情報をＣＵＧサーバ（２００）に送信することで、ＣＵＧサーバ（２００）が新規のグループテーブルを生成し、ＰＯＣホスト通信端末装置の端末識別情報が登録されたグループ情報を作成することも可能である。
【００７５】
また、ステップＳ３において、ＣＵＧサーバ（２００）は、ＰＯＣホスト通信端末装置に対しグループ識別情報と、パスワードと、を送信することとしたが、ステップＳ３においてＣＵＧサーバ（２００）が生成するパスワードの生成方法及びパスワードを生成する際の条件等は、特に限定するものではなく、ＰＯＣホスト通信端末装置側からＣＵＧサーバ（２００）側にパスワードを入力したり、ＣＵＧサーバ（２００）側で任意にパスワードを生成したりして、ＣＵＧサーバ（２００）が管理するグループ情報を更新する際に必要となるパスワードを作成できれば特に限定しないものとする。また、グループ情報を更新する際に必要となるパスワードをグループ情報毎に区分して管理したりすることも可能であり、例えば、図８に示唆するようにグループ情報毎にパスワードを付加してＣＵＧサーバ（２００）にて管理することも可能である。
【００７６】
このように、第１の実施例における無線通信システムは、所定のＰＯＣ通信端末装置間における無線通信を確立するためのグループ申請要求を、ＣＵＧサーバ（２００）が、ＰＯＣホスト通信端末装置から受信した際に、ＣＵＧサーバ（２００）が、所定のＰＯＣ通信端末装置間における無線通信を確立するためのグループテーブルを生成し、該生成したグループテーブルに、そのグループテーブルを識別するためのグループ識別情報を付与したグループ情報を作成することになる。そして、その作成したグループ情報をＣＵＧサーバ（２００）の具備する格納部に格納することになる。そして、ＣＵＧサーバ（２００）は、ＣＵＧサーバ（２００）にて生成したグループテーブルに付与したグループ識別情報をグループ申請要求先のＰＯＣホスト通信端末装置に対して送信することになる。そして、ＣＵＧサーバ（２００）が作成したグループテーブルへの登録要求と、その登録要求先のグループテーブルを識別するためのグループ識別情報と、をＰＯＣ通信端末装置からＣＵＧサーバ（２００）が受信した際に、ＣＵＧサーバ（２００）は、ＰＯＣ通信端末装置から受信したグループ識別情報を付与したグループテーブルを、ＣＵＧサーバ（２００）の具備する格納部から検索取得し、その検索取得したグループテーブルに、登録要求先のＰＯＣ通信端末装置の端末識別情報を自動的に登録することになる。これにより、ＣＵＧサーバ（２００）が管理するグループテーブル内に登録されたＰＯＣ通信端末装置間における無線通信を迅速に確立することが可能となる。従って、第１の実施例における無線通信システムは、特定のＰＯＣ通信端末装置間の無線通信を確立するためのグループ情報に対する新たなＰＯＣ通信端末装置の参加を容易とし、プレストークスイッチを用いた無線通信の使用形態の規制を緩和させ、新規に参加した参加者が参加者の保持するＰＯＣ通信端末装置を用いて迅速に無線通信を行うことが可能となる通信システムを構築することになる。
【実施例２】
【００７７】
次に、第２の実施例について説明する。
第１の実施例における無線通信システムにおけるグループ情報の作成方法は、グループ識別情報と、パスワードと、を何らかの方法で取得した任意の参加者が、その任意の参加者が保持するＰＯＣ通信端末装置を用いて、ＣＵＧサーバ（２００）にアクセスする。そして、ＰＯＣ通信端末装置からグループ識別情報と、パスワードと、をＣＵＧサーバ（２００）に登録することで、ＣＵＧサーバ（２００）にて管理するグループ情報内に、任意の参加者の保持するＰＯＣ通信端末装置の端末識別情報を自動的に登録することが可能となるものである。このため、グループ識別情報とパスワードとを何らかの方法で取得した不特定の参加者の保持するＰＯＣ通信端末装置の端末識別情報がＣＵＧサーバ（２００）が管理するグループ情報内に登録されている場合も考えられる。そこで、第２の実施例は、ＣＵＧサーバ（２００）が管理するグループ情報内に登録されている不特定のＰＯＣ通信端末装置の端末識別情報を削除することが可能となる無線通信システムを構築することを特徴とするものである。以下、図９を参照しながら、グループ情報内に含まれるＰＯＣ通信端末装置の端末識別情報の削除方法について説明する。
【００７８】
まず、ＰＯＣ通信端末装置間で無線通信を行うホストとなるユーザは、そのユーザの保持するＰＯＣホスト通信端末装置を用いて、制御局側となるＣＵＧサーバ（２００）が管理するＰＯＣホスト通信端末装置の端末識別情報が含まれるグループ情報を呼制御サーバ（１００）を介して取得することになる。そして、ＰＯＣホスト通信端末装置が取得したグループ情報内に含まれるＰＯＣ通信端末装置間の無線通信を確立しようとした際に、ホストとなるユーザの知らない不明なＰＯＣ通信端末装置の端末識別情報がグループ情報内に登録されていたことをＰＯＣホスト通信端末装置の具備する表示部上から認識したとする。そして、ホストとなるユーザは、ＰＯＣホスト通信端末装置の具備する操作部を用いて、グループ情報内に含まれる不明なＰＯＣ通信端末装置の端末識別情報を指定し、制御局側との呼制御を確立し、ＰＯＣホスト通信端末装置は、不明なＰＯＣ通信端末装置との無線通信を確立することになる。そして、ホストとなるユーザは、不明なＰＯＣ通信端末装置を保持する参加者との間で音声情報を送受信し、不明なＰＯＣ通信端末装置の端末識別情報が、不正なアクセスによりＣＵＧサーバ（２００）が管理するグループ情報内に登録されたと判明することになる。これにより、ホストとなるユーザは、不明なＰＯＣ通信端末装置の端末識別情報をグループ情報内から削除することになる。
【００７９】
なお、グループ情報内に含まれるＰＯＣ通信端末装置の端末識別情報を削除するには、図９に示唆するように、ＰＯＣホスト通信端末装置を用いてＣＵＧサーバ（２００）にアクセスし、ＣＵＧサーバ（２００）が管理するグループ情報に含まれる不明なＰＯＣ通信端末装置の端末識別情報の削除要求をＣＵＧサーバ（２００）に送信することになる（ステップＳ１０）。ＣＵＧサーバ（２００）は、ＰＯＣホスト通信端末装置から削除要求を受信すると、その削除要求先のＰＯＣホスト通信端末装置の端末識別情報が含まれるグループ情報を検索取得し、ＣＵＧサーバ（２００）は、その検索取得したグループ情報内に含まれる不明なＰＯＣ通信端末装置の端末識別情報を削除することになる（ステップＳ１１）。これにより、ＣＵＧサーバ（２００）が管理するグループ情報内に不明なＰＯＣ通信端末装置が登録されていても、ＰＯＣホスト通信端末装置からの削除要求により、グループ情報内に含まれる不明なＰＯＣ通信端末装置を自動的に削除することが可能となる。
【００８０】
なお、上記処理動作において、ＣＵＧサーバ（２００）が管理するグループ情報内に含まれるＰＯＣ通信端末装置の端末識別情報を削除する際は、ステップＳ１０において、ＰＯＣホスト通信端末装置が、削除要求と共にＰＯＣホスト通信端末装置の端末識別情報と、削除対象となるＰＯＣ通信端末装置の端末識別情報と、を送信することで、ステップＳ１１において、ＣＵＧサーバ（２００）が、ＰＯＣホスト通信端末装置の端末識別情報を基に、そのＰＯＣホスト通信端末装置の端末識別情報が含まれるグループ情報を検索取得し、その検索取得したグループ情報内に含まれる削除対象となるＰＯＣ通信端末装置の端末識別情報を削除することになる。
【００８１】
なお、上記ステップＳ１０において、ＰＯＣホスト通信端末装置が、削除要求を送信する際にグループ識別情報もＣＵＧサーバ（２００）に送信することで、ステップＳ１１において、ＣＵＧサーバ（２００）が、ＰＯＣホスト通信端末装置から送信されたグループ識別情報を基に、そのグループ識別情報と一致するグループ情報を検索取得し、その検索取得したグループ情報内に含まれる削除対象となる端末識別情報を削除するように構築することも可能である。また、ステップＳ１０において、ＰＯＣホスト通信端末装置が、ＣＵＧサーバ（２００）から取得したパスワードをＣＵＧサーバ（２００）に送信し、ステップＳ１１において、ＣＵＧサーバ（２００）が、ＰＯＣホスト通信端末装置から受信したパスワードと、グループ情報を作成した際に生成したパスワードとが一致すると判定した場合に、削除対象となる端末識別情報を削除するように構築することも可能である。なお、図９に示唆する上記実施例では、ＣＵＧサーバ（２００）が管理するグループ情報のセキュリティを考えて、ＰＯＣホスト通信端末装置からの削除要求をＣＵＧサーバ（２００）が受信した場合にのみ、ＣＵＧサーバ（２００）が管理するグループ情報内に含まれる削除対象となるＰＯＣ通信端末装置の端末識別情報を削除するように構築したが、ＣＵＧサーバ（２００）が管理するグループ情報内に含まれるＰＯＣ通信端末装置からの削除要求をＣＵＧサーバ（２００）が受信することで、ＣＵＧサーバ（２００）が管理する削除要求先のＰＯＣ通信端末装置の端末識別情報が含まれるグループ情報内の端末識別情報を削除するように構築することも可能である。なお、ＰＯＣ通信端末装置からの削除要求に応じてＣＵＧサーバ（２００）が管理するグループ情報内の端末識別情報をＣＵＧサーバ（２００）が削除する場合は、セキュリティ性を考慮して、削除要求をＣＵＧサーバ（２００）に送信したＰＯＣ通信端末装置の端末識別情報のみを削除するように構築することが好ましい。
【００８２】
このように、第２の実施例における無線通信システムは、ＣＵＧサーバ（２００）が管理するグループ情報への登録要求と、その登録要求先のグループ情報を識別するためのグループ識別情報と、をＣＵＧサーバ（２００）がＰＯＣ通信端末装置から受信した際に、ＣＵＧサーバ（２００）が管理するグループ情報内に登録要求先のＰＯＣ通信端末装置の端末識別情報を自動的に登録するだけでなく、ＣＵＧサーバ（２００）が管理するグループ情報内に含まれる任意のＰＯＣ通信端末装置の端末識別情報を削除するための削除要求と、その削除対象となる端末識別情報と、をＣＵＧサーバ（２００）が任意のＰＯＣ通信端末装置から受信した際に、ＣＵＧサーバ（２００）が管理するグループ情報内から削除対象となるＰＯＣ通信端末装置の端末識別情報を自動的に削除することが可能となることから、プレストークスイッチを用いた無線通信の使用形態の規制を緩和させることが可能となる。
【００８３】
なお、上述する実施例は、本発明の好適な実施例であり、本発明の要旨を逸脱しない範囲内において種々の変更を施した実施が可能である。例えば、上記実施例において、移動局側となるＰＯＣ通信端末装置（１〜Ｎ）と、制御局側となる呼制御サーバ（１００）、ＣＵＧサーバ（２００）、ＰＯＣサーバ（３００）、プレゼンスサーバ（４００）と、を有して構成される無線通信システムにおいて、ＣＵＧサーバ（２００）が管理するグループ情報内に含まれるＰＯＣ通信端末装置間の無線通信を、ＰＯＣサーバ（３００）を介して呼制御サーバ（１００）にて確立させ、ＰＯＣ通信端末装置から呼制御サーバ（１００）に送信される音声等の情報を、呼制御サーバ（１００）にて確立されたグループ情報内のＰＯＣ通信端末装置間に送信できれば、制御局側となる呼制御サーバ（１００）と、ＣＵＧサーバ（２００）と、ＰＯＣサーバ（３００）と、プレゼンスサーバ（４００）と、を介して行う情報の送受信は特に限定せず、また、制御局側の構成は特に限定しないものとする。
【００８４】
また、上記実施例において無線通信システム間で送受信するグループ情報は、電話番号に対応づけられたＵＲＩ等で表現されるアドレスとして送受信することも可能であり、ＭＳＩＳＤＮや、ＳＩＰ  ＵＲＩ等、そのグループ情報のアドレス形式は特に限定しないものとする。また、上述した実施例における処理動作をプログラムとして、ＰＯＣ通信端末装置間の無線通信処理を確立可能な情報処理装置において実行させることでも、本発明にかかる無線通信システムを構築することは可能である。
【００８５】
また、本発明にかかる無線通信システムにおいて、ＣＵＧサーバ（２００）を複数（２００−１〜Ｎ）個具備する構成とすることも可能であり、ＣＵＧサーバ（２００）を複数（２００−１〜Ｎ）個具備する無線通信システムを構成する場合は、グループ情報と共に、ＣＵＧサーバ（２００−１〜Ｎ）を識別するためのＣＵＧサーバ識別情報を付加して管理することになり、この場合は、グループ識別情報にＣＵＧサーバ識別情報を付加した情報を各装置間で送受信することになる。
【００８６】
また、本発明にかかるＰＯＣ通信端末装置は、シャッターボタンと、カメラと、を更に有し、音声情報のみではなく、画像情報を送信するように構築することも可能である。音声情報と共に画像情報を送信する場合は、プレストークスイッチが押下され、音声情報がグループ情報内の他のＰＯＣ通信端末装置に送信された状態で、更に、シャッターボタンを押下すると、カメラにより外部の映像が撮影されることになる。そして、その撮影された映像が画像情報として、音声情報の送信と共に、そのグループ情報内の他のＰＯＣ通信端末装置に送信されることになる。なお、音声情報と画像情報とを、グループ情報内の他のＰＯＣ通信端末装置に送信する場合は、本発明にかかる無線通信システムが構築する通信回線において割り当てられた伝送能力の範囲内で送信されることになる。
【００８７】
また、本発明にかかるＰＯＣ通信端末装置は、グループ情報内に含まれるＰＯＣ通信端末装置間において無線通信を確立し、音声や画像等の情報を送信する際に、グループ情報内に含まれる各ＰＯＣ通信端末装置の通話状態（オンライン、オフライン）を把握することが可能となることから、まず、オンライン状態であるＰＯＣ通信端末装置のみに、音声や画像等の情報を送信し、オフライン状態であるＰＯＣ通信端末装置のテーブルを自動的に作成し、その作成したテーブルに含まれるオフライン状態であるＰＯＣ通信端末装置に対して一括してＥメールやショートメール等を送信できるようなＰＯＣ通信端末装置を構築することも可能である。
【産業上の利用可能性】
【００８８】
本発明にかかる制御局、無線通信システム及び無線通信方法は、トランシーバー機能を搭載し、所定の操作ボタンを押下することで、特定の通信端末装置間で無線通信処理が可能な情報通信端末装置を用いた無線通信システムに適用可能である。
【図面の簡単な説明】
【００８９】
【図１】本発明にかかる無線通信システムのシステム構成を示唆する図である。
【図２】本発明にかかる無線通信システムを構成するＰＯＣ通信端末装置の機能構成を示すブロック図である。
【図３】本発明にかかる無線通信システムを構成するＣＵＧサーバ内で管理するグループ情報の構成を示唆する図である。
【図４】本発明にかかる無線通信システムを構成するプレゼンスサーバ内で管理する管理テーブルの構成を示唆する図である。
【図５】本発明にかかる無線通信システムを構成するＣＵＧサーバ内で管理するグループ情報の作成方法を示唆するシーケンスチャートである。
【図６】ＣＵＧサーバ内で管理するグループ情報の第１の状態を示唆する図であり、ＰＯＣホスト通信端末装置の端末識別情報のみがグループ情報内に登録された状態を示唆する図である。
【図７】ＣＵＧサーバ内で管理するグループ情報の第２の状態を示唆する図であり、ＰＯＣホスト通信端末装置と第１のＰＯＣ通信端末装置との端末識別情報がグループ情報内に登録された状態を示唆する図である。
【図８】本発明にかかる無線通信システムを構成するＣＵＧサーバ内で管理するグループ情報の構成例を示唆する図である。
【図９】本発明にかかる無線通信システムを構成するＣＵＧサーバ内で管理するグループ情報内に含まれるＰＯＣ通信端末装置の端末識別情報の削除方法を示唆するシーケンスチャートである。
【図１０】従来の無線通信システムのシステム構成を示唆する図である。
【図１１】従来の無線通信システムを構成するＣＵＧサーバが管理するグループテーブルの構成例を示す図である。
【図１２】従来の無線通信システムにおける通信端末間の無線通信の確立方法を示唆するシーケンスチャートである。
【符号の説明】
【００９０】
１〜Ｎ    ＰＯＣ通信端末装置
１−１    アンテナ部
１−２    無線送信部
１−３    無線受信部
１−４    情報格納部
１−５    プレストークスイッチ
１−６    制御部
１−７    マイク
１−８    イヤホン
１００    呼制御サーバ
２００    ＣＵＧサーバ
３００    ＰＯＣサーバ
４００    プレゼンスサーバ
１０１−１〜Ｎ、１００１−１〜Ｎ    無線基地局
１０００−１〜Ｎ    ＰＴＴ通信端末装置
２０００    ＰＴＴサーバ
３０００    ＣＵＧサーバ
【図１】
2005217584.tif 000003
【図２】
2005217584.tif 000004
【図３】
2005217584.tif 000005
【図４】
2005217584.tif 000006
【図５】
2005217584.tif 000007
【図６】
2005217584.tif 000008
【図７】
2005217584.tif 000009
【図８】
2005217584.tif 000010
【図９】
2005217584.tif 000011
【図１０】
2005217584.tif 000012
【図１１】
2005217584.tif 000013
【図１２】
2005217584.tif 000014